(57)【要約】【課題】遊技球を受け入れるための入賞口の内部に、さらに２つの入賞球受入口を有するとともに、入賞球が受け入れられる入賞球受入口を選択的に切り換えるための切換部材を備えた遊技機において、画像表示装置を囲う枠体を大型化した場合であっても、入賞口を構成する部材の背面側に遊技球流下路を設けるためのスペースを確保するとともに、切換部材を駆動するソレノイドの駆動力を効率よく切換部材に伝達する。【解決手段】切換部材３７を駆動する入賞口切換ソレノイド３８を、プランジャ８０が上下方向に移動するように配設する。プランジャ８０の先端部から側方に向かって突出するピン部材８１を備える。切換部材３７に、ピン部材８１を遊嵌させるための連結孔７３を有する作動片７１を備える。【選択図】          図１
2004159990.tif 000002
【特許請求の範囲】
【請求項１】
遊技盤の前面に、遊技球を受け入れるための入賞口を備え、該入賞口の内部に、該入賞口への入賞球を受け入れるための第１の受入口および第２の受入口を有するとともに、支軸を支点として左右に傾動することにより、前記入賞球が受け入れられる受入口を前記２つの受入口の間で選択的に切り換えるための切換部材を備え、該切換部材は、ソレノイドの駆動により傾動する遊技機において、
前記ソレノイドは、プランジャが上下方向に移動するように配設されるとともに、プランジャの先端部から側方に向かって突出するピン部材を備え、
前記切換部材は、前記ピン部材を遊嵌させるための連結孔を有する作動片を備え、
前記ソレノイドを駆動して前記プランジャを上下方向に移動させると、前記切換部材が支軸を支点として左右に傾動するように構成されていることを特徴とする遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
従来の遊技機、例えばパチンコ機において、多数の遊技球を一度に受け入れることが可能な大入賞口を備えたものがある。このようなパチンコ機では、「大当たり」が発生して特別遊技に移行すると、所定時間および所定回数だけ開口扉を開いて遊技球を受け入れ易い状態に切り換えるようになっている。また、大入賞口内には、通常入賞口の他に継続入賞口が設けられており、さらに、通常入賞口と継続入賞口を選択的に切り換えるための切換部材が配設されている。この切換部材は、左右に傾動するシーソー状の板材からなり、ソレノイドの駆動により左右に傾動して通常入賞口と継続入賞口を選択的に切り換えるようになっている。
【０００３】
具体的には、「大当たり」が発生して特別遊技に移行すると、例えば３０秒間、大入賞口の開口扉を開いて遊技球を受け入れ易い状態に切り換える。そして、大入賞口内に入賞した遊技球が継続入賞口にも入賞すると、大入賞口の開放が、例えば１６回に達するまで繰り返される。この際、大入賞口の開放初期においては、切換部材が通常入賞口側へ傾いており、大入賞口の開放後期になると、ソレノイドを駆動して切換部材を通常入賞口側へ傾かせ、大入賞口への遊技球が継続入賞口へ入賞し易くなるようにする。
【０００４】
この切換部材１００は、図７（ａ）、（ｂ）に示すように、板状のシーソー部材１０１の下面側に、シーソー部材１０１の長さ方向に対して略直交するように支軸１０２およびリンク部材１０３を設け、リンク部材１０３にはシーソー部材１０１の長さ方向に長孔１０４が形成されている。
【０００５】
また、切換部材１００を駆動するためのソレノイド１０５は、シーソー部材１０１の長さ方向、すなわち略水平方向に設置されており、プランジャ１０６の先端部から下方に向かってピン部材１０７が設けられている。そして、このピン部材１０７は、リンク部材１０３の長孔１０４内に遊嵌されている。
【０００６】
このような構成からなる切換部材１００において、図７（ａ）に示すように、ソレノイド１０５が駆動してプランジャ１０６が図中右方向（矢印Ａ１で示す）へ移動すると、ピン部材１０７が長孔１０４内を移動してリンク部材１０３を図中右方向へ押し出す。シーソー部材１０１は、支軸１０２により回動可能に支持されているので、リンク部材１０３が図中右方向へ押し出されると、シーソー部材１０１が図７（ａ）において反時計方向（矢印Ｂ１で示す）に回動することにより図中左側へ向かって傾く。
【０００７】
一方、図７（ｂ）に示すように、ソレノイド１０５が駆動してプランジャ１０６が図中左方向（矢印Ａ２で示す）へ移動すると、ピン部材１０７が長孔１０４内を移動してリンク部材１０３を図中左方向へ引き戻し、シーソー部材１０１が図７（ｂ）において時計方向（矢印Ｂ２で示す）に回動することにより図中右側へ向かって傾く。
【０００８】
【発明が解決しようとする課題】
ところで、近年のパチンコ機では、遊技の面白さを一層高めることを目的として、遊技部内を流下する遊技球の動きを今まで以上に変化させることが要望されている。このような要望に応えるために、枠体の下部に設けられたステージを大型化して遊技球の誘導路を複雑なものとすることが考えられる。
【０００９】
しかしながら、枠体の下方には始動入賞口や大入賞口が配設されており、ステージを大型化すると、枠体の下方における遊技部のスペースが減少してしまうため、始動入賞口と大入賞口との間隔が狭くなってしまう。
【００１０】
従来のパチンコ機において、始動入賞口に入賞した遊技球は、大入賞口を迂回するようにして遊技盤の後面下方に導かれているが、始動入賞口と大入賞口との間隔が狭い場合には、始動入賞口へ入賞した遊技球の迂回路を設けることが困難である。また、たとえ迂回路を設けることができたとしても迂回路の傾斜が緩くなり、遊技球を確実に流下させることができなくなってしまう。
このような不都合を解消するためには、大入賞口を構成する部材の背面側に、始動入賞口へ入賞した遊技球を流下させるための遊技球流下路を設けることが望ましいが、大入賞口を構成する部材の背面側には種々の部材が配設されており、従来の部材構成のままでこのような遊技球流下路を設けることは困難である。
【００１１】
特に、大入賞口内に設けた切換部材を駆動するためのソレノイドは、上述したように略水平方向に配設されているため、大入賞口を構成する部材の背面側において、このソレノイドがスペース内を占有する割合は大きい。
【００１２】
また、上記ソレノイドのプランジャの移動方向は略水平方向であり、これに対して切換部材を構成するシーソー部材は支軸を支点として上下方向に回動する。したがって、プランジャの移動方向とシーソー部材の回動方向が異なることから、ソレノイドの駆動力が効率よく伝達されないという問題があった。
【００１３】
本発明は、上記事情に鑑みなされたもので、遊技球を受け入れるための入賞口の内部に、さらに該入賞口への入賞球を受け入れるための第１の受入口および第２の受入口を有するとともに、支軸を支点として左右に傾動することにより両受入口を選択的に切り換えるための切換部材を備えた遊技機において、画像表示装置を囲う枠体を大型化した場合であっても、入賞口を構成する部材の背面側に遊技球流下路を設けるためのスペースを確保することを目的とする。
【００１４】
さらに、本発明は、切換部材を駆動するためのソレノイドの駆動力を効率よく切換部材に伝達することが可能な遊技機を提供することを目的とする。
【００１５】
【課題を解決するための手段】
本発明の遊技機は、上記目的を達成するため、遊技盤の前面に、遊技球を受け入れるための入賞口を備え、該入賞口の内部に、該入賞口への入賞球を受け入れるための第１の受入口および第２の受入口を有するとともに、支軸を支点として左右に傾動することにより、前記入賞球が受け入れられる受入口を前記２つの受入口の間で選択的に切り換えるための切換部材を備え、該切換部材は、ソレノイドの駆動により傾動する遊技機において、
前記ソレノイドは、プランジャが上下方向に移動するように配設されるとともに、プランジャの先端部から側方に向かって突出するピン部材を備え、
前記切換部材は、前記ピン部材を遊嵌させるための連結孔を有する作動片を備え、
前記ソレノイドを駆動して前記プランジャを上下方向に移動させると、前記切換部材が支軸を支点として左右に傾動するように構成されていることを特徴とするものである。
【００１６】
ここで、入賞口とは、例えば、画像表示装置に表示される特別図柄が「大当たり」状態となったときに、所定時間および所定回数だけ間欠的に開放されて、通常時よりも多くの遊技球を受け入れることが可能な大入賞口のことをいう。
【００１７】
また、入賞口内に設けた第１の受入口および第２の受入口とは、その機能が限定されているものではないが、例えば、いずれか一方が通常の入賞口であり、他方が遊技球の入賞を条件として「大当たり」遊技の継続を許可するための継続入賞口である場合をいう。
【００１８】
【発明の実施の形態】
以下、本発明の実施形態について図面を参照しながら説明する。なお、以下の説明では、代表的な弾球遊技機としてのパチンコ機に、本発明を適用した例について説明を行なう。
【００１９】
＜パチンコ機の概略構成＞
図４〜図６は、本発明の一実施形態に係るパチンコ機を示すもので、図４はパチンコ機の正面図、図５はパチンコ機の斜視図、図６は遊技盤の正面図である。
【００２０】
本発明の一実施形態に係るパチンコ機１は、図４、図５に示すように、外枠２の上半部に開閉可能に取り付けられたフロントドア３を備えており、その下方には操作部４が設けられている。
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行なうための発射ハンドル７が設けられ、下皿６の左側には灰皿８が設けられている。さらに、上皿５には、当該パチンコ機１における球貸操作等を行なうための操作パネル９が設けられている。
【００２１】
また、フロントドア３の上部前面には遊技盤５０（図６参照）が取り付けられており、遊技盤５０の前方側には遊技部５２の前方を塞ぐためのガラス板（図示せず）が取り付けられている。
【００２２】
さらに、フロントドア３には、遊技部５２の周囲前方に位置するようにして装飾枠１０が設けられており、装飾枠１０の上部には、左右一対のスピーカ装置１１が配設されている。
【００２３】
＜遊技盤＞
フロントドア３の上部前面に取り付けられた遊技盤５０は、図４、図６に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するための特別図柄表示装置として機能する画像表示装置５４と、複数個の普通図柄表示ＬＥＤを有する普通図柄表示装置５５と、複数の入賞口と、いずれの入賞口にも入賞しなかった遊技球を遊技部５２内から排出するためのアウト口５６とが設けられている。
【００２４】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００２５】
＜入賞口＞
上記入賞口は、その機能によって複数種類に分かれており、遊技球が入賞したことを条件として所定数の賞球を排出するための一般入賞口５９と、遊技球が通過したことを条件として、普通図柄表示装置５５における普通図柄表示ＬＥＤの変動表示を開始させるための普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させるための始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００２６】
上記大入賞口６３には、大入賞口６３を開閉するための開口扉２０（図１〜図４参照）が設けられている。
【００２７】
なお、本実施形態では、上記始動入賞口６２が第１の入賞口となり、上記大入賞口６３が第２の入賞口となる。
【００２８】
＜大入賞口および切換部材＞
次に、図１〜図３を参照して、本発明のポイントとなる大入賞口６３およびその内部に設けた切換部材３７の構成について詳細に説明する。図１および図２は切換部材およびこれを駆動する入賞口切換ソレノイドを示すもので、図１（ａ）はプランジャがソレノイド内から突出した状態の切換部材および入賞口切換ソレノイドの斜視図、図１（ｂ）はプランジャがソレノイド内に引き込まれた状態の切換部材および入賞口切換ソレノイドの斜視図、図２（ａ）は切換部材および入賞口切換ソレノイドの背面図、図２（ｂ）は切換部材および入賞口切換ソレノイドの側面図である。また、図３は大入賞口および開口扉を構成するアタッカアッセンブリを示すもので、（ａ）は切換部材が通常入賞口側へ切り換えられた状態のアタッカアッセンブリの一部を切り欠いた斜視図、（ｂ）は切換部材が継続入賞口側へ切り換えられた状態のアタッカアッセンブリの一部を切り欠いた斜視図である。
【００２９】
図３（ａ）、（ｂ）に示すように、大入賞口６３および開口扉２０は、遊技盤５０に取り付けられたアタッカアッセンブリ３０により構成される。このアタッカアッセンブリ３０は、取付基板３１のほぼ中央に大入賞口６３が開設されており、大入賞口６３には開口扉２０が開閉可能に取り付けられている。また、開口扉２０は、大入賞口開閉ソレノイド３２の駆動により開閉するようになっている。
【００３０】
また、取付基板３１の背面側に枠部材３３を取り付けることにより凹室３４が形成されており、この凹室３４内には、大入賞口６３に入賞した遊技球を受け入れるための通常入賞口３５および継続入賞口３６が設けられている。通常入賞口３５は、凹室３４内に入賞した遊技球を通常入賞球として受け入れるための入賞口であり、継続入賞口３６は、遊技球の入賞を条件として特別遊技の継続を許可するための入賞口である。また、凹室３４内には、受け入れた遊技球を通常入賞口３５あるいは継続入賞口３６へ選択的に入賞させるための切換部材３７が設けられている。
【００３１】
この切換部材３７は、図１および図２に示すように、遊技球の流下方向を通常入賞口３５と継続入賞口３６との間で選択的に切り換えるシーソー部材７０を備えており、シーソー部材７０の下面側には板状の作動片７１が設けられている。また、作動片７１には、シーソー部材７０の回動支点となる支軸７２が設けられているとともに、支軸７２の側方に位置するようにして連結孔７３が開設されている。
【００３２】
また、切換部材３７を駆動するための入賞口切換ソレノイド３８は、図１および図２に示すように、プランジャ８０が上下方向に移動するように配設されており、プランジャ８０の先端部には、側方に向かって突出するピン部材８１が取り付けられている。このピン部材８１は、作動片７１の連結孔７３よりも小さな外径寸法となるように形成されており、作動片７１の連結孔７３内に遊嵌されている。
【００３３】
なお、詳細には図示しないが、入賞口切換ソレノイド３８のプランジャ８０にはバネ等からなる付勢部材が取り付けられており、入賞口切換ソレノイド３８の電源がオフとなると、付勢部材の付勢力により入賞口切換ソレノイド３８内からプランジャ８０が突出する。一方、入賞口切換ソレノイド３８の電源がオンとなると、付勢部材の付勢力に抗して入賞口切換ソレノイド３８内にプランジャ８０が引き込まれる。
【００３４】
このような構成からなる切換部材は、図１（ａ）に示すように、入賞口切換ソレノイド３８の電源がオフとなり入賞口切換ソレノイド３８内からプランジャ８０が突出すると、ピン部材８１が作動片７１を下側へ向かって移動させる。したがって、シーソー部材７０は支軸７２を回動支点として反時計方向に回動し、図中左側へ向かって傾く。このため、図３（ａ）に示すように、シーソー部材７０上に落下した入賞球Ｐは、図中左側へ向かって転動し、通常入賞口３５へ入賞し易くなる。
【００３５】
一方、図１（ｂ）に示すように、入賞口切換ソレノイド３８の電源がオンとなり入賞口切換ソレノイド３８内にプランジャ８０が引き込まれると、ピン部材８１が作動片７１を上側へ向かって移動させる。したがって、シーソー部材７０は支軸７２を回動支点として時計方向に回動し、図中右側へ向かって傾く。このため、図３（ｂ）に示すように、シーソー部材７０上に落下した入賞球Ｐは、図中右側へ向かって転動し、継続入賞口３６へ入賞し易くなる。
【００３６】
なお、本実施形態では、通常入賞口３５が第１の受入口となり、継続入賞口３６が第２の受入口となる。
【００３７】
＜遊技球流下路＞
大入賞口の開口扉を開閉させるための開閉ソレノイド３２および入賞口切換ソレノイド３８は、図３（ａ）、（ｂ）に示すように、枠部材３３の背面側に取り付けられており、大入賞口開閉ソレノイド３２および入賞口切換ソレノイド３８の間隔内には、枠部材３３の背面側から一対のリブ３９が突出して設けられている。また、リブ３９の背面側を塞ぐとともに、入賞口切換ソレノイド３８の背面に密着するようにして板材４０が取り付けられており、一対のリブ３９および板材４０により、始動入賞口６２へ入賞した遊技球Ｐが流下する遊技球流下路４１が形成されている。
この板材４０は、熱伝導性に優れた材料から形成されており、例えば、アルミニウム、鉄、銅等の金属、あるいはセラミックス等からなる。
【００３８】
このような構成からなる本実施形態では、始動入賞口６２へ入賞した遊技球Ｐは、アタッカアッセンブリ３０の背面側に設けられた遊技球流下路４１を経て遊技盤５０の背面側へ導かれる。また、入賞口切換ソレノイド３８の駆動により発生した熱は、板材４０に伝導するので、アタッカアッセンブリ３０における放熱効果が高められる。
【００３９】
なお、板材４０は、入賞口切換ソレノイド３８の背面ではなく、大入賞口開閉ソレノイド３２の背面に密着するように設けてもよいし、大入賞口開閉ソレノイド３および入賞口切換ソレノイド３８の双方の背面に密着するように設けてもよい。
【００４０】
＜その他の構成部材＞
以下、図４、図６を参照して、本発明に係るパチンコ機１を構成する他の部材について説明する。
【００４１】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示装置５５における図柄の変動表示が行なわれる。また、画像表示装置５４の右側上部には、普通図柄始動口６０の通過記憶個数を表示するための４個の普通図柄記憶ＬＥＤ６４が設けられている。この普通図柄記憶ＬＥＤ６４の点灯個数により、普通図柄始動口６０の通過記憶個数を表示することができる。
【００４２】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示装置５５において「当たり」となった場合に、所定時間（例えば、０．３秒間）だけ遊技球を受け入れ易い状態に切り換えられる。
【００４３】
また、始動入賞口６２への入賞球は、４個まで記憶可能となっており、この入賞記憶に基づいて、画像表示装置５４における図柄の変動表示が行なわれる。また、画像表示装置５４の右側下部には、始動入賞口６２への入賞記憶個数を表示するための４個の特別図柄記憶ＬＥＤ６５が設けられている。この特別図柄記憶ＬＥＤ６５の点灯個数により、始動入賞口６２への入賞記憶個数を表示することができる。
【００４４】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００４５】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００４６】
＜普通図柄表示装置＞
上記普通図柄表示装置５５は、画像表示装置５４の上方に設けられた赤色発光と緑色発光の複数個の普通図柄表示ＬＥＤを備えている。この普通図柄表示装置５５では、複数個の普通図柄表示ＬＥＤが赤、緑の発光色で交互に点滅するようになっており、複数個の普通図柄表示ＬＥＤの点滅が終了して緑色で点灯した場合を「当たり」として、始動入賞口６２に設けられた普通電動役物６１を、所定時間だけ遊技球を受け入れ易い状態に切り換えて、始動入賞口６２に遊技球を入賞させ易くする。
【００４７】
なお、普通図柄表示装置５５は、上述した複数個の普通図柄表示ＬＥＤを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００４８】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００４９】
また、普通図柄始動口６０を遊技球が通過したことを条件として、普通図柄表示装置５５における普通図柄の変動表示を開始させる。そして、乱数を用いた抽選により、普通図柄表示装置５５における普通図柄表示ＬＥＤの停止表示態様を決定し、この決定に基づいて普通図柄表示ＬＥＤの変動表示を停止させる。
【００５０】
ここで、普通図柄表示装置５５における普通図柄表示ＬＥＤの停止表示態様が、「当たり」となると、始動入賞口６２に設けられた普通電動役物６１を所定時間（例えば、０．３秒間）だけ遊技球を受け入れ易い状態に切り換える。
【００５１】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００５２】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口３６（図１参照）が設けられており、大入賞口６３内に入賞した遊技球が継続入賞口３６にも入賞すると、上述した大入賞口６３の開放が、所定回数（例えば１６回）に達するまで繰り返される。
【００５３】
＜他の実施形態＞
以上、本発明の一実施形態を説明したが、本発明は、このような態様に限定されるものではなく、種々の態様の変更が可能である。例えば、本発明に係る入賞口は大入賞口６３に限られず、他の機能を有する入賞口とすることが可能である。
【００５４】
さらに、上述した実施形態ではパチンコ機１を例にとって説明したが、本発明は遊技球を受け入れるための入賞口を備え、該入賞口の内部に、該入賞口への入賞球を受け入れるための第１の受入口および第２の受入口を有するとともに、支軸を支点として左右に傾動することにより両受入口を選択的に切り換えるための切換部材３７を備え、該切換部材３７は、入賞口切換ソレノイド３８の駆動により傾動する遊技機であれば、他の遊技機にも適用することが可能である。
【００５５】
【発明の効果】
以上、詳細に説明したように本発明の遊技機は、遊技球を受け入れるための入賞口の内部に、さらに該入賞口への入賞球を受け入れるための第１の受入口および第２の受入口を有するとともに、支軸を支点として左右に傾動することにより両受入口を選択的に切り換えるための切換部材を備えた遊技機において、切換部材を駆動するためのソレノイドを、プランジャが上下方向に移動するように配設している。
【００５６】
したがって、画像表示装置を囲う枠体を大型化した場合であっても、入賞口を構成する部材の背面側に遊技球流下路を設けるためのスペースを確保することができ、遊技盤の背面側の限られたスペースを有効に利用することができる。
【００５７】
また、切換部材を駆動するためのソレノイドのプランジャが駆動する方向と、切換部材が回動する方向とが一致するため、ソレノイドの駆動力を効率よく切換部材に伝達することが可能となる。
【図面の簡単な説明】
【図１】本発明の一実施形態に係るパチンコ機に使用する切換部材およびこれを駆動する入賞口切換ソレノイドの斜視図（（ａ）はプランジャがソレノイド内から突出した状態、（ｂ）はプランジャがソレノイド内に引き込まれた状態）
【図２】本発明の一実施形態に係るパチンコ機に使用する切換部材およびこれを駆動する入賞口切換ソレノイドの背面図（ａ）および側面図（ｂ）
【図３】本発明の一実施形態に係るパチンコ機に使用するアタッカアッセンブリの一部を切り欠いた斜視図（（ａ）は切換部材が通常入賞口側へ切り換えられた状態、（ｂ）は切換部材が継続入賞口側へ切り換えられた状態）
【図４】本発明の一実施形態に係るパチンコ機の正面図
【図５】本発明の一実施形態に係るパチンコ機の斜視図
【図６】本発明の一実施形態に係るパチンコ機に使用する遊技盤の正面図
【図７】従来の切換部材およびこれを駆動するソレノイドの斜視図（（ａ）はプランジャがソレノイド内から突出した状態、（ｂ）はプランジャがソレノイド内に引き込まれた状態）
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ装置
２０  開閉扉
３０  アタッカアッセンブリ
３１  取付基板
３２  大入賞口開閉ソレノイド
３３  枠部材
３４  凹室
３５  通常入賞口
３６  継続入賞口
３７  切換部材
３８  入賞口切換ソレノイド
３９  リブ
４０  板材
４１  遊技球流下路
５０  遊技盤
５１  ガイドレール
５２  遊技部
５３  障害部材
５４  画像表示装置
５５  普通図柄表示装置
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
７０  シーソー部材
７１  作動片
７２  支軸
７３  連結孔
８０  プランジャ
８１  ピン部材
１００  切換部材
１０１  シーソー部材
１０２  支軸
１０３  リンク部材
１０４  長孔
１０５  ソレノイド
１０６  プランジャ
１０７  ピン部材
Ｐ  入賞球
【図１】
2004159990.tif 000003
【図２】
2004159990.tif 000004
【図３】
2004159990.tif 000005
【図４】
2004159990.tif 000006
【図５】
2004159990.tif 000007
【図６】
2004159990.tif 000008
【図７】
2004159990.tif 000009